(57)【特許請求の範囲】
【請求項１】
プッシュ式スイッチの押下操作により警報発生部を作動させる警報音発声機能付電子機器において、
前記プッシュ式スイッチの近傍にＬＥＤが配置されており、前記プッシュ式スイッチと前記ＬＥＤのいずれか一方が覆われるようにスライドカバーが設けられており、前記プッシュ式スイッチが前記スライドカバーにより覆われている時には、該プッシュ式スイッチの押下がロックされており、前記ＬＥＤが前記スライドカバーに覆われておらず該プッシュ式スイッチがロックされていることを前記ＬＥＤの点灯により表示することを特徴とする警報音発声機能付電子機器。
【請求項２】
請求項１記載の警報音発生機能付電子機器は、携帯無線端末機であることを特徴とする警報音発生機能付電子機器。
【発明の詳細な説明】
【０００１】
【発明の属する技術分野】
本発明は、携帯して使用する警報器や、携帯電話機や無線呼出用受信機等の電子機器に付加された警報部に関し、特に警報部の誤動作を防止し、誤動作防止モードであることを認知可能な警報音発生機能付電子機器に関する。
【０００２】
【従来の技術】
警報音発生機能付電子機器の警報部の作動方法には、特開昭５８−５４４９６号公報に記載の様にプラグ式スイッチを用いたものや、実開平４−３８１４８号公報に記載のプッシュ式スイッチを用いたものが有り、警報機能のみを有する電子機器や、警報機能が付加された携帯無線機等が現在市場に販売されている。
【０００３】
警報器は一般的に、暴漢等に遭遇した際、自己の安全を確保する為に使用されるもので、警報器の操作により警笛音またはブザーといった周波数が高く、音量も大きい音を発生させ、痴漢等を驚かせ撃退したり、周囲の人に自分の身の危険を知らせ助けを呼ぶものである。そのため、満員電車等で誤動作により警報機能を作動させた場合、周りの乗客に迷惑がかかり、不快感を生むことになる。
【０００４】
誤動作を防止する方法としては、プラグ式スイッチの警報器の場合、満員電車の車中等の込み合った場所では、通常鞄等に入れておき、人通りの少ない場所で鞄等から取出して、プラグ式スイッチに取り付けられた紐を鞄等に取り付ける様にして、非常時に警報器自体を引っ張りプラグ式スイッチを抜いて使用するという様な、取扱いでの誤動作を防止するようにしている。プッシュ式スイッチについては、実用新案登録第３０３３７０７号公報に記載の様に、プッシュ式スイッチを筐体表面より突出しないようにし、誤動作を防止したりしている。
【０００５】
更に、無線機に関するものとして、プッシュ式スイッチの誤動作を防止する方法としては、特開昭６４−８９８４４号公報に記載の様にスイッチを保護するスライドカバーを用いるものや、誤動作を防止する無効スイッチを具備させ、該スイッチの入力により、その後に入力されるスイッチ操作を無効にするものなどがある。
【０００６】
また、誤動作防止のモードであることを使用者に認知させるための方法として、特開平９−６４８０３公報に記載の様に、誤動作防止モード時に、スイッチの入力があるとスイッチ入力の都度ＬＥＤを点灯させて知らせるもの等がある。
【０００７】
【発明が解決しようとする課題】
しかしながら、上記のようなプラグ式スイッチの誤動作を防止する行動では、満員電車等痴漢に遭遇しやすい込み入った場所においても誤動作を防止するため鞄等への収納を余儀なくされ、警報器等の電子機器が必要な場合においても、いちいち鞄等から取出し、対処するのに時間を要していた。また満員電車等で迅速に使用するため、予め警報器等の電子機器を手で保持している状態では、誤って警報機能を作動させる原因にもなる。
【０００８】
警報機能のみを有する電子機器は、頻繁に使用するものでなく、鞄等に収納し必要な際に取出し使用することで、取出す時間を要するものの、警報機能を作動させればその効果は得られるものであるが、携帯電話機や無線呼出用受信機等に警報機能が具備される電子機器の場合、その使用頻度は警報機能のみを有する電子機器よりも多く、随時鞄等に収納させておくことは製品本来の機能を制限することになり好ましくない。
【０００９】
プッシュ式スイッチの誤動作を防止する方法は従来技術で述べた様に、スイッチにカバーを具備させたり、スイッチ入力を無効にするスイッチを設けることで解決される。しかしながらスイッチを保護するカバーを設けたり、スイッチ入力を無効にするスイッチを設け誤動作を防止した状態で、夜道等の暗闇で使用者が暴漢に襲われた場合、使用者は通常錯乱状態に陥り誤動作防止モードであることに気づかず、警報機能を迅速に作動させることができない場合がある。
【００１０】
また、上記を解決するために従来技術の様に、誤動作防止モードにおいて、その他のスイッチが入力されるとその都度ＬＥＤが点灯し、誤動作防止モードであることを認知できる装置では、最低でも一度スイッチの入力をしない限り誤動作モードであることを認知できず、迅速に警報機能を作動させる必要がある場合において、無駄な行為を行うことで時間を要してしまう。
【００１１】
本発明は上記従来の課題を解決するためになされたもので、プラグ式スイッチによる警報機能の誤動作を防止し、誤動作防止の機能が働いていることを視覚的に表示させ、警報機能の操作性を向上させることを目的とする。
【課題を解決するための手段】
【００１２】
前記課題を解決するために、第一の発明は、
プラグ式スイッチ部の操作により警報機能を作動させる電子機器において、
警報音を発生させるプラグ式スイッチの抜けを防止する保持部材を具備したことを特徴とし、満員電車等込み合った場所での誤動作を防止する。
【００１３】
また、第二の発明は、警報音を発生させるスイッチをロックすることができる警報音発生機能付電子機器において、
警報音を発生させるスイッチがロックされていることを表示する表示部を具備したこと特徴とし、夜道等の暗闇において迅速に誤動作防止モードであることを確認することができる。
【００１４】
また、第三の発明は、請求項１または請求項２記載の警報音発生機能付電子機器が、携帯無線端末機であることを特徴とし、他者との無線連絡を行うことができる携帯無線端末機を、非常時の場合警報音発生させることができ、通常使用状態での誤動作を防止することができる。
【００１５】
【発明の実施の形態】
本発明に係る一実施例を図面を参照して説明する。
第一の実施例として、警報機能を作動させる為にプラグ式スイッチを用いる警報音発生機能付電子機器で、プラグ式スイッチの抜けによる誤動作を防止する警報音発生機能付電子機器に関し、図１、図２、図３、図４、図５、図６及び図７の図面を参照して説明する。
【００１６】
図１は本発明の一実施の形態による警報音発生機能付電子機器の筐体を示す図である。上筐体１は下筐体２と密着される構造をとり、下筐体の側面に、ノブレール２Ａとプラグ入口２Ｂの溝部が設けられている。
【００１７】
図４は図１の上筐体１と下筐体２を密着させた時の側面図である。ノブレール２Ａとプラグ入口２Ｂの溝部により側面には空洞が設けられる構造となっている。
【００１８】
図６は本発明の一実施の形態による警報音発生機能付電子機器のプラグ式スイッチのプラグを示す上面図及び側面図である。プラグ６は後端が丸い形状で、その中心部に紐などが通せるように穴があいている。プラグ６はプラグ６が抜けない構造とするための切込み部６Ａを有する。
【００１９】
図７は本発明の一実施の形態による警報音発生機能付電子機器のプラグ式スイッチのプラグ６の抜けによる誤動作を防止するためのロックノブを示す斜視図７Ａ、上面図７Ｂ、正面図７Ｃ、側面図７Ｄ、背面図７Ｅである。ロックノブ７はプラグ６の切込み部６Ａに先端７Ｆが挿入される構造となっており、７Ｄのようにコの字型に成形されている。
【００２０】
図３はプラグ式スイッチにより警報音発生部（図示せず）を作動させる為のプラグ式スイッチ３の断面図である。プラグ式スイッチ３の作動方法は従来技術と同様に、上電極３Ａ、下電極３Ｂの間に絶縁材３Ｃがあり、プラグ６は電極間に挿入され（本図では図示せず）導通を阻止する。プラグ６の挿入と、抜き取りにより上電極３Ａは矢印ウの様な動作を行い、プラグ６が挿入されている状態では（図面において、矢印ウは上方向）、上電極３Ａはプラグ６により下電極３Ｂと接触せず警報音発生部は作動しない。プラグ６が抜かれると（図面において、矢印ウは下方向）上電極３Ａが下電極３Ｂと導通し、警報音発生部を駆動させることで警報音を発生させる構造となっている。
【００２１】
ロックノブ７は図４の様に上筐体１と下筐体２を密着させることで生じるノブレール２Ａの空間にスライド可能に固定される。図５はロックノブ７が上筐体１と下筐体２に挟まった状態を示す図であり、ロックノブ７の抜けを防止するために図７で説明した様にコの字型に成形されている。
【００２２】
図２は本発明の一実施の形態による警報音発生機能付電子機器のプラグ式スイッチ３とプラグ６とロックノブ７の位置関係を示した図である（警報音発生部は図示せず）。ここでは説明の便宜上、上筐体１を図示していないが、下筐体２に上筐体１が密着してることとする。下筐体２にプラグ式スイッチ３が配置され、取付ボス３Ｄにより固定されている。プラグ６は上筐体１と下筐体２の密着によりなるプラグ入口２Ｂから挿入され、その先端をプラグ式スイッチ３の上電極３Ａと下電極３Ｂに挟まれ導通を阻止している。ロックノブ７は上筐体１と下筐体２にはさまれ、スライド可能に構成されている。ロックノブ７が矢印イ（図面においては上方向）の様にスライドし、プラグ６の切込み部６Ａにロックノブ７の先端７Ｆを挿入することで、プラグ６の抜けを防止することにより誤動作を防止する。誤動作を解除する際は、矢印イ（図面においては下方向）の様にロックノブ７をスライドする。
【００２３】
使用者はロックノブ７の先端７Ｆをプラグ６の切込み部６Ａに挿入することで、プラグ６の誤動作を防止する。プラグ６が抜かれると（図面においては矢印アの右方向）上電極３Ａと下電極３Ｂが接触し導通することで、警報音発生部を駆動させる。
【００２４】
上述のとおり、本実施の形態による警報音発生機能付電子機器は、ロックノブ７のスライドによりプラグ６の抜けを防止することで、満員電車等で手に携帯して保持している場合等においても誤ってプラグを引き抜くことがなく、誤動作を防止できる。
【００２５】
第二の実施例として、警報音を発生させるプッシュ式スイッチを、スライドカバーを用いて誤動作を防止する警報音発生機能付電子機器において、警報音を発生させるプッシュ式スイッチが誤動作防止のためロックされている状態を可視する警報音発生機能付電子機器に関し、図８を用いて説明する。
【００２６】
図８は本発明の一実施の形態による警報音発生機能付電子機器の外観図である。警報音発生機能付電子機器８は、従来技術と同様に、プッシュ式スイッチ８Ａの押下により警報音が発生する構造となっており、該プッシュ式スイッチ８Ａの誤動作を防止する為に、従来技術と同様に、二本のスライドレール８Ｄ上でスライド可能に保持されたスライドカバー８Ｂ具備している。スライドカバー８Ｂは説明の便宜から点線で示しているが、ＬＥＤ８Ｃとプッシュ式スイッチ８Ａを上から覆う構成となっており、実際にはスライドカバーの位置関係によりＬＥＤ８Ｃあるいはプッシュ式スイッチ８Ａは見えない構成をとる。また、ここでスライドカバー８Ｂを２つ示しているが、説明の便宜上であり、実際は１つからなる。スライドカバー８Ｂは図の矢印エの様にスライドする。
【００２７】
ここで、プッシュ式スイッチ８Ａの近傍にＬＥＤ８Ｃを配置しており、ＬＥＤ８Ｃは常時点灯している（ＬＥＤの点灯制御については説明せず）。スライドカバー８Ｂが閉じられた状態（図面において、矢印エは左方向）、すなわち誤動作を防止する為に、スライドカバー８Ｂが警報音を発生させる為のプッシュ式スイッチ８Ａの上にある時は、ＬＥＤ８Ｃは可視可能であり、逆にスライドカバー８Ｂがプッシュ式スイッチ８Ａを保護しない状態にある時（図面において、矢印エは右方向）、ＬＥＤ８Ｃはスライドカバー８Ｂに覆われＬＥＤ８Ｃを可視することができない構造とする。
【００２８】
第三の実施例として、警報音発生機能を作動させる為にプッシュ式スイッチを用い、該プッシュ式スイッチの入力を無効にするスイッチを用いて誤動作を防止する警報音発生機能付電子機器において、警報音を発生させるプッシュ式スイッチの入力が誤動作防止のため無効とされる状態を可視する警報音発生機能付電子機器に関し、図９及び図１０を用いて説明する。
【００２９】
図９は本発明の一実施の形態による警報音発生機能付電子機器のブロック図である。従来技術と同様に、プッシュ式スイッチ９Ａの押下によりプッシュ式スイッチ押下検出部９Ｂがプッシュ式スイッチ９Ａの押下を検出し、信号を受けた制御部９Ｃが警報音発生部９Ｄを駆動させる構造となっている。
【００３０】
誤動作を防止するための無効スイッチ９Ｅをオンすると、誤動作防止検出部９Ｆは、このオンを検出して誤操作防止信号を発生し、この誤動作防止信号を制御部９Ｃに送る。誤動作防止信号を受けた制御部９Ｃはこれ以降において誤動作防止信号の供給が止まるまで、プッシュ式スイッチ９Ａの押下通知を受けても、本来このスイッチ押下に伴って実施すべき制御を実行しない。また、制御部９Ｃは、誤動作防止信号を受けているとき、ＬＥＤ９Ｇを点灯させて誤動作防止のモードであることを可視可能にする。
【００３１】
図１０は図９の警報音発生機能付電子機器における誤動作防止機能設定時の作動を示すフローチャートである。
この警報音発生機能付電子機器の使用者が、無効スイッチ９Ｅをオンすると（ステップＳ１０１のＹｅｓ）、誤動作防止検出部９Ｆが誤動作防止信号を発生し、該信号を受取った制御部９ＣはＬＥＤ９Ｇを駆動させ点灯させる（ステップＳ１０２）。ここでプッシュ式スイッチ９Ａが押下された場合（ステップＳ１０３のＹｅｓ）、制御部９Ｃは誤動作防止信号を受取っているため、警報音発生部９Ｄを駆動させることはない（ステップＳ１０４）。無効スイッチ９Ｅがオンされず（ステップＳ１０１のＮｏ）、プッシュ式スイッチ９Ａが押下された場合（ステップＳ１０５のＹｅｓ）、プッシュ式スイッチ押下検出部９Ｂは警報発生信号を発生し、該信号を受取った制御部９Ｃは警報音発生部９Ｄを駆動させる（ステップＳ１０６）
【００３２】
本発明では、警報音発生機能付電子機器として警報音発生機能のみを有する電子機器を用いて説明したが、例えば携帯電話等に警報音発生機能が付加されているものにも適用されることは勿論のことである。また、一実施の形態として、プラグ式スイッチとロックノブとプラグの位置関係を示したが、その位置関係はここで示した位置関係のみならず、プラグが筐体前面から挿入されたり、ロックノブの先端がプラグの下に挿入されたりすることで、誤動作を防止する構成をとってもよい。ようは、プラグにロック用の切込み部を具備させ、該切込み部にロックノブを挿入させることによりプラグの抜けを防止する構成であればよい。
【００３３】
また、本発明では警報音を発生させる為に、プッシュ式スイッチを用い説明したが、プッシュ式でなく、スライドスイッチを用いても実現できることは勿論である。
【００３４】
【発明の効果】
以上、詳細に説明したように、本発明によれば、プラグ式スイッチの抜けを防止でき、満員電車等込み合った場所で携帯する上で誤動作が防止でき、また誤動作防止モードであることをＬＥＤ等の視覚的な表示で示すことで、暗闇等でも誤動作防止モードであることを判断することができ、容易に誤動作防止を解除し警報音発生機能の使用準備をとることができる。
【図面の簡単な説明】
【図１】    本発明の一実施形態に係る警報音発生機能付電子機器の筐体を示す図である。
【図２】    本発明の一実施形態に係る警報音発生機能付電子機器の部品位置関係を示す図である。
【図３】    プラグ式スイッチの構造を示す断面図である。
【図４】    図１の筐体を密着させた時の側面図である。
【図５】    本発明の一実施形態に係るロックノブの取付を示す断面図である。
【図６】    本発明の一実施形態に係るプラグの斜視図である。
【図７】    本発明の一実施形態に係るロックノブの斜視図、上面図、正面図、側面図、背面図である。
【図８】    本発明の一実施形態に係る警報音発生機能付電子機器の外観を示す図である。
【図９】    本発明の一実施形態に係る警報音発生機能付電子機器のブロック図である。
【図１０】    図９の警報音発生機能付電子機器における誤動作防止機能設定中の作動を示すフローチャートである。
【符号の説明】
１・・・上筐体、  ２・・・下筐体、  ２Ａ・・・ノブレール、
２Ｂ・・・プラグ入口  ３・・・プラグ式スイッチ、
３Ａ・・上電極、  ３Ｂ・・・下電極、  ３Ｃ・・・絶縁材、
３Ｄ・・・取付ボス、  ６・・・プラグ、  ６Ａ・・・切込み部、
７・・・ロックノブ、  ７Ａ・・・ロックノブ斜視図、
７Ｂ・・・ロックノブ上面図ＬＥＤ、７Ｃ・・・ロックノブ正面図、
７Ｄ・・・ロックノブ側面図、７Ｅ・・・ロックノブ背面図、
７Ｆ・・・ロックノブ先端、８・・・警報音発生機能付電子機器、
８Ａ・・・プッシュ式スイッチ、８Ｂ・・・スライドカバー、
８Ｃ・・・ＬＥＤ、８Ｄ・・・スライドレール、
９Ａ・・・プッシュ式スイッチ、９Ｂ・・・プッシュ式スイッチ押下検出部、
９Ｃ・・・制御部、９Ｄ・・・警報音発生部、９Ｅ・・・無効スイッチ、
９Ｆ・・・誤動作防止検出部、９Ｇ・・・ＬＥＤ
【図１】
0003945937.tif 000002
【図２】
0003945937.tif 000003
【図３】
0003945937.tif 000004
【図４】
0003945937.tif 000005
【図５】
0003945937.tif 000006
【図６】
0003945937.tif 000007
【図７】
0003945937.tif 000008
【図８】
0003945937.tif 000009
【図９】
0003945937.tif 000010
【図１０】
0003945937.tif 000011